(57)【要約】【課題】  記録用紙の両面に対して画像出力を行う場合に、その記録用紙の紙質や紙厚の種類に応じて両面出力の可否を判断して、その判断に基づいた画像出力処理を行うことで、適正に画像出力処理を行う。【解決手段】  作業者が用紙／出力面選択部２４により画像データを出力する記録用紙を選択して、その出力面を指定すると、出力面判断部２５は、指定された出力面が両面であった場合に、自身の記憶部に記憶されたカラーレーザープリンタ３の各給紙カセットに収納される記録用紙の紙質及び紙厚の種類を参照することで、選択された記録用紙の紙質及び紙厚の種類にて両面出力を行うことが可能か否かを判断する。出力制御部２６は、ここで両面出力を行うことが不可能であると判断された場合に、予め設定された設定内容に従って、画像データ解析加工部２１から出力された画像データを選択された記録用紙の２枚の片面に分割して出力する処理を行う。【選択図】      図３
2005131956.tif 000002
【特許請求の範囲】
【請求項１】
画像データを出力指示情報と共に送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムであって、
前記制御装置は、
前記画像出力装置から前記複数の給紙カセットの各々に収納される記録用紙の種類を取得する用紙情報取得手段と、
前記取得された複数の給紙カセットの各々に収納される記録用紙の種類の中から前記画像を出力する記録用紙の種類を選択するための用紙選択手段と、
前記画像を出力する出力面として前記記録用紙の両面と片面の何れか一方を指定するための出力面指定手段と、
前記選択された記録用紙の種類と前記指定された出力面の識別情報を前記出力指示情報として前記画像データと共に前記画像出力装置に送信する送信手段と、を備え、
前記画像出力装置は、
少なくとも前記複数の給紙カセットの各々に収納される記録用紙の種類と前記画像を当該記録用紙の両面に出力することの可否を対応付けた出力可否情報を予め記憶する出力可否情報記憶手段と、
前記送信された出力面の識別情報が前記記録用紙の両面を指定する情報であった場合に、前記送信された記録用紙の種類を基に前記記憶された出力可否情報を参照することで、前記画像を前記送信された種類の記録用紙の両面に出力することの可否を判断する出力可否判断手段と、
前記判断において前記画像を前記送信された種類の記録用紙の両面に出力することが不可と判断された場合に、前記画像を前記送信された種類の記録用紙の両面に出力する出力処理に替わり、その代替となる出力処理を行う出力制御手段と、を備えたことを特徴とする画像出力システム。
【請求項２】
前記代替となる出力処理は、前記画像を２枚の前記選択された種類の記録用紙の片面に分割して出力する処理、又は、前記画像を前記選択された種類の記録用紙の両面に出力する処理を中止する処理であることを特徴とする請求項１記載の画像出力システム。
【請求項３】
画像データを出力指示情報と共に送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムであって、
前記制御装置は、
少なくとも前記複数の給紙カセットの各々に収納される記録用紙の種類と前記画像を当該記録用紙の両面に出力することの可否を対応付けた出力可否情報を予め記憶する出力可否情報記憶手段と、
前記画像出力装置から前記複数の給紙カセットの各々に収納される記録用紙の種類を取得する用紙情報取得手段と、
前記取得された複数の給紙カセットの各々に収納される記録用紙の種類の中から前記画像を出力する記録用紙の種類を選択するための用紙選択手段と、
前記画像を出力する出力面として前記記録用紙の両面と片面の何れか一方を指定するための出力面指定手段と、
前記指定された出力面が前記記録用紙の両面であった場合に、前記選択された記録用紙の種類を基に前記記憶された出力可否情報を参照することで、前記画像を前記選択された種類の記録用紙の両面に出力することの可否を判断する出力可否判断手段と、
前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御手段と、を備えたことを特徴とする画像出力システム。
【請求項４】
前記代替となる出力処理は、前記画像データを当該画像データに基づく画像を２枚の前記選択された種類の記録用紙の片面に分割して出力することを指示する前記出力指示情報と共に送信する処理、又は、前記画像データを当該画像データに基づく画像を前記選択された種類の記録用紙の両面に出力することを指示する前記出力指示情報と共に送信する処理を中止する処理であることを特徴とする請求項３記載の画像出力システム。
【請求項５】
前記記録用紙の種類は、当該記録用紙の紙質及び／又は紙厚であることを特徴とする請求項１乃至請求項４の何れか一項に記載の画像出力システム。
【請求項６】
前記画像出力装置は、前記記録用紙の両面又は片面に前記送信された画像データに基づく画像を出力することでカラープルーフを作成することを特徴とする請求項１乃至請求項５の何れか一項に記載の画像出力システム。
【請求項７】
前記画像出力装置は、カラーレーザープリンタであることを特徴とする請求項１乃至請求項６の何れか一項に記載の画像出力システム。
【請求項８】
出力指示情報に従って複数の給紙カセットの中から該当する給紙カセットを選択して、当該選択された給紙カセットから給紙される記録用紙の両面又は片面に画像データに基づく画像を出力する画像出力装置に対して、前記画像データを前記出力指示情報と共に送信する制御装置であって、
少なくとも前記複数の給紙カセットの各々に収納される記録用紙の種類と前記画像を当該記録用紙の両面に出力することの可否を対応付けた出力可否情報を予め記憶する出力可否情報記憶手段と、
前記画像出力装置から前記複数の給紙カセットの各々に収納される記録用紙の種類を取得する用紙情報取得手段と、
前記取得された複数の給紙カセットの各々に収納される記録用紙の種類の中から前記画像を出力する記録用紙の種類を選択するための用紙選択手段と、
前記画像を出力する出力面として前記記録用紙の両面と片面の何れか一方を指定するための出力面指定手段と、
前記指定された出力面が前記記録用紙の両面であった場合に、前記選択された記録用紙の種類を基に前記記憶された出力可否情報を参照することで、前記画像を前記選択された種類の記録用紙の両面に出力することの可否を判断する出力可否判断手段と、
前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御手段と、を備えたことを特徴とする制御装置。
【請求項９】
前記代替となる出力処理は、前記画像データを当該画像データに基づく画像を２枚の前記選択された種類の記録用紙の片面に分割して出力することを指示する前記出力指示情報と共に送信する処理、又は、前記画像データを当該画像データに基づく画像を前記選択された種類の記録用紙の両面に出力することを指示する前記出力指示情報と共に送信する処理を中止する処理であることを特徴とする請求項８記載の制御装置。
【請求項１０】
前記記録用紙の種類は、当該記録用紙の紙質及び／又は紙厚であることを特徴とする請求項８又は請求項９に記載の制御装置。
【請求項１１】
前記画像出力装置は、前記記録用紙の両面又は片面に前記画像データに基づく画像を出力することでカラープルーフを作成することを特徴とする請求項８乃至請求項１０の何れか一項に記載の画像出力システム。
【請求項１２】
前記画像出力装置は、カラーレーザープリンタであることを特徴とする請求項８乃至請求項１１の何れか一項に記載の制御装置。
【請求項１３】
外部装置から、画像データと共に、当該画像データに基づく画像を出力する記録用紙の種類とその出力面として当該記録用紙の両面と片面の何れか一方を指定する識別情報を出力指示情報として受信して、前記出力指示情報に従って複数の給紙カセットの中から該当する給紙カセットを選択して、当該選択された給紙カセットから給紙される記録用紙の両面又は片面に前記画像データに基づく画像を出力する画像出力装置であって、
少なくとも前記複数の給紙カセットの各々に収納される記録用紙の種類と前記画像を当該記録用紙の両面に出力することの可否を対応付けた出力可否情報を予め記憶する出力可否情報記憶手段と、
前記受信した出力面の識別情報が前記記録用紙の両面を指定する情報であった場合に、前記受信した記録用紙の種類を基に前記記憶された出力可否情報を参照することで、前記画像を前記受信した種類の記録用紙の両面に出力することの可否を判断する出力可否判断手段と、
前記判断において前記画像を前記受信した種類の記録用紙の両面に出力することが不可と判断された場合に、前記画像を前記受信した種類の記録用紙の両面に出力する出力処理に替わり、その代替となる出力処理を行う出力制御手段と、を備えたことを特徴とする画像出力装置。
【請求項１４】
前記代替となる出力処理は、前記画像を２枚の前記選択された種類の記録用紙の片面に分割して出力する処理、又は、前記画像を前記選択された種類の記録用紙の両面に出力する処理を中止する処理であることを特徴とする請求項１３記載の画像出力装置。
【請求項１５】
前記記録用紙の種類は、当該記録用紙の紙質及び／又は紙厚であることを特徴とする請求項１３又は請求項１４に記載の画像出力装置。
【請求項１６】
前記画像出力装置は、前記記録用紙の両面又は片面に前記画像データに基づく画像を出力することでカラープルーフを作成することを特徴とする請求項１３乃至請求項１５の何れか一項に記載の画像出力装置。
【請求項１７】
前記画像出力装置は、カラーレーザープリンタであることを特徴とする請求項１３乃至請求項１６の何れか一項に記載の画像出力装置。
【請求項１８】
画像データを出力指示情報と共に送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムにおける画像出力方法であって、
前記制御装置において、
前記画像出力装置から前記複数の給紙カセットの各々に収納される記録用紙の種類を取得する用紙情報取得ステップと、
前記取得された複数の給紙カセットの各々に収納される記録用紙の種類の中から前記画像を出力する記録用紙の種類が選択される用紙選択ステップと、
前記画像を出力する出力面として前記記録用紙の両面と片面の何れか一方が指定される出力面指定ステップと、
前記選択された記録用紙の種類と前記指定された出力面の識別情報を前記出力指示情報として前記画像データと共に前記画像出力装置に送信する送信ステップと、
前記画像出力装置において、
少なくとも前記複数の給紙カセットの各々に収納される記録用紙の種類と前記画像を当該記録用紙の両面に出力することの可否を対応付けた出力可否情報を予め記憶する出力可否情報記憶ステップと、
前記送信された出力面の識別情報が前記記録用紙の両面を指定する情報であった場合に、前記送信された記録用紙の種類を基に前記記憶された出力可否情報を参照することで、前記画像を前記送信された種類の記録用紙の両面に出力することの可否を判断する出力可否判断ステップと、
前記判断において前記画像を前記送信された種類の記録用紙の両面に出力することが不可と判断された場合に、前記画像を前記送信された種類の記録用紙の両面に出力する出力処理に替わり、その代替となる出力処理を行う出力制御ステップと、を含むことを特徴とする画像出力方法。
【請求項１９】
前記代替となる出力処理は、前記画像を２枚の前記選択された種類の記録用紙の片面に分割して出力する処理、又は、前記画像を前記選択された種類の記録用紙の両面に出力する処理を中止する処理であることを特徴とする請求項１８に記載の画像出力方法。
【請求項２０】
画像データと共に出力指示情報を送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムにおける画像出力方法であって、
前記制御装置において、
少なくとも前記複数の給紙カセットの各々に収納される記録用紙の種類と前記画像を当該記録用紙の両面に出力することの可否を対応付けた出力可否情報を予め記憶する出力可否情報記憶ステップと、
前記画像出力装置から前記複数の給紙カセットの各々に収納される記録用紙の種類を取得する用紙情報取得ステップと、
前記取得された複数の給紙カセットの各々に収納される記録用紙の種類の中から前記画像を出力する記録用紙の種類が選択される用紙選択ステップと、
前記画像を出力する出力面として前記記録用紙の両面と片面の何れか一方が指定される出力面指定ステップと、
前記指定された出力面が前記記録用紙の両面であった場合に、前記選択された記録用紙の種類を基に前記記憶された出力可否情報を参照することで、前記画像を前記選択された種類の記録用紙の両面に出力することの可否を判断する出力可否判断ステップと、
前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御ステップと、を含むことを特徴とする画像出力方法。
【請求項２１】
前記代替となる出力処理は、前記画像データを当該画像データに基づく画像を２枚の前記選択された種類の記録用紙の片面に分割して出力することを指示する前記出力指示情報と共に送信する処理、又は、前記画像データを当該画像データに基づく画像を前記選択された種類の記録用紙の両面に出力することを指示する前記出力指示情報と共に送信する処理を中止する処理であることを特徴とする請求項２０記載の画像出力方法。
【請求項２２】
前記記録用紙の種類は、当該記録用紙の紙質及び／又は紙厚であることを特徴とする請求項１８乃至請求項２１の何れか一項に記載の画像出力方法。
【請求項２３】
前記画像出力装置は、前記記録用紙の両面又は片面に前記送信された画像データに基づく画像を出力することでカラープルーフを作成することを特徴とする請求項１８乃至請求項２２の何れか一項に記載の画像出力方法。
【請求項２４】
前記画像出力装置は、カラーレーザープリンタであることを特徴とする請求項１８乃至請求項２３の何れか一項に記載の画像出力方法。
【請求項２５】
出力指示情報に従って複数の給紙カセットの中から該当する給紙カセットを選択して、当該選択された給紙カセットから給紙される記録用紙の両面又は片面に画像データに基づく画像を出力する画像出力装置に対して、前記画像データを前記出力指示情報と共に送信する制御装置のコンピュータにおいて実行されるプログラムであって、
少なくとも前記複数の給紙カセットの各々に収納される記録用紙の種類と前記画像を当該記録用紙の両面に出力することの可否を対応付けた出力可否情報を予め記憶する出力可否情報記憶処理ステップと、
前記画像出力装置から前記複数の給紙カセットの各々に収納される記録用紙の種類を取得する用紙情報取得処理ステップと、
前記取得された複数の給紙カセットの各々に収納される記録用紙の種類の中から前記画像を出力する記録用紙の種類を選択可能な用紙選択画面を表示する用紙選択画面表示処理ステップと、
前記画像を出力する出力面として前記記録用紙の両面と片面の何れか一方を指定可能な出力面指定画面を表示する出力面指定画面表示処理ステップと、
前記出力面指定画面において指定された出力面が前記記録用紙の両面であった場合に、前記用紙選択画面において選択された記録用紙の種類を基に前記記憶された出力可否情報を参照することで、前記画像を前記選択された種類の記録用紙の両面に出力することの可否を判断する出力可否判断処理ステップと、
前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御処理ステップと、を含むことを特徴とするプログラム。
【請求項２６】
前記代替となる出力処理は、前記画像データを当該画像データに基づく画像を２枚の前記選択された種類の記録用紙の片面に分割して出力することを指示する前記出力指示情報と共に送信する処理、又は、前記画像データを当該画像データに基づく画像を前記選択された種類の記録用紙の両面に出力することを指示する前記出力指示情報と共に送信する処理を中止する処理であることを特徴とする請求項２５記載のプログラム。
【請求項２７】
前記記録用紙の種類は、当該記録用紙の紙質及び／又は紙厚であることを特徴とする請求項２５又は請求項２６に記載のプログラム。
【請求項２８】
前記画像出力装置は、前記記録用紙の両面又は片面に前記画像データに基づく画像を出力することでカラープルーフを作成することを特徴とする請求項２５乃至請求項２７の何れか一項に記載のプログラム。
【請求項２９】
前記画像出力装置は、カラーレーザープリンタであることを特徴とする請求項２５乃至請求項２８の何れか一項に記載のプログラム。
【請求項３０】
外部装置から、画像データと共に、当該画像データに基づく画像を出力する記録用紙の種類とその出力面として当該記録用紙の両面と片面の何れか一方を指定する識別情報を出力指示情報として受信して、前記出力指示情報に従って複数の給紙カセットの中から該当する給紙カセットを選択して、当該選択された給紙カセットから給紙される記録用紙の両面又は片面に前記画像データに基づく画像を出力する画像出力装置のコンピュータにおいて実行されるプログラムであって、
少なくとも前記複数の給紙カセットの各々に収納される記録用紙の種類と前記画像を当該記録用紙の両面に出力することの可否を対応付けた出力可否情報を予め記憶する出力可否情報記憶処理ステップと、
前記受信した出力面の識別情報が前記記録用紙の両面を指定する情報であった場合に、前記受信した記録用紙の種類を基に前記記憶された出力可否情報を参照することで、前記画像を前記受信した種類の記録用紙の両面に出力することの可否を判断する出力可否判断処理ステップと、
前記判断において前記画像を前記受信した種類の記録用紙の両面に出力することが不可と判断された場合に、前記画像を前記受信した種類の記録用紙の両面に出力する出力処理に替わり、その代替となる出力処理を行う出力制御処理ステップと、を含むことを特徴とするプログラム。
【請求項３１】
前記代替となる出力処理は、前記画像を２枚の前記選択された種類の記録用紙の片面に分割して出力する処理、又は、前記画像を前記選択された種類の記録用紙の両面に出力する処理を中止する処理であることを特徴とする請求項３０記載のプログラム。
【請求項３２】
前記記録用紙の種類は、当該記録用紙の紙質及び／又は紙厚であることを特徴とする請求項３０又は請求項３１に記載のプログラム。
【請求項３３】
前記画像出力装置は、前記記録用紙の両面又は片面に前記送信された画像データに基づく画像を出力することでカラープルーフを作成することを特徴とする請求項３０乃至請求項３２の何れか一項に記載のプログラム。
【請求項３４】
前記画像出力装置は、カラーレーザープリンタであることを特徴とする請求項３０乃至請求項３３の何れか一項に記載のプログラム。
【請求項３５】
請求項２５乃至請求項２９の何れか一項に記載のプログラムを前記制御装置のコンピュータにより読み出し可能に記憶したことを特徴とする記憶媒体。
【請求項３６】
請求項３０乃至請求項３４の何れか一項に記載のプログラムを前記画像出力装置のコンピュータにより読み出し可能に記憶したことを特徴とする記憶媒体。
【発明の詳細な説明】
【技術分野】
【０００１】
本発明は、記録用紙の両面に対して画像出力を行う画像出力システム、制御装置、画像出力装置、画像出力方法、その方法を実行させるためのプログラム、及び、そのプログラムを記憶した記憶媒体に関し、特に、印刷・製版業の色校正過程において使用されるカラープルーフを作成する際に、記録用紙の紙質や紙厚の種類に応じて適正に画像出力処理を行う技術に関するものである。
【背景技術】
【０００２】
近年、カラーレーザープリンタは、性能の向上に伴い、安価で高速に高品位なカラー出力を行うことが可能になってきたことから、印刷・製版業の校正過程でカラープルーフを作成する用途に使用されるに至っている。
【０００３】
このようなカラーレーザープリンタの中には、例えば特開平５−２４７４６号公報に記載される両面画像形成装置のように、記録用紙の両面に対して画像出力を行うことが可能に構成されたものがある（例えば、特許文献１参照）。
【０００４】
ところで、カラーレーザープリンタにおいては、２色以上のトナーを使用して画像出力を行うことから、記録用紙に付着するトナーの量は、モノクロプリンタにおいて単色のトナーを使用して画像出力を行う場合と比較して極端に多くなっている。
【０００５】
このようなことから、記録用紙の紙質や紙厚の種類によっては、その裏面に出力された画像が表面から透けて見えてしまう裏映りが生じることがあった。
【０００６】
特に、カラープルーフを作成する際には、印刷物に用いられる印刷用紙よりも安価な記録用紙が使用される場合が多く、このような記録用紙は、概して紙色や紙厚が薄いことから、上述した裏映りが頻繁に生じていた。
【０００７】
【特許文献１】特開平５−２４７４６号公報（段落〔００１０〕‐〔００３０〕、第１図及び第２図）
【発明の開示】
【発明が解決しようとする課題】
【０００８】
このように、裏映りが生じてしまうと、その表面や裏面に出力された画像の色校正を適正に行うことは困難になることから、多くの場合、これをカラープルーフとして利用することはできず、その記録用紙は無駄になっていた。
【０００９】
本発明は、上記事情に鑑みてなされたものであり、その目的とするところは、記録用紙の両面に対して画像出力を行う場合に、その記録用紙の紙質や紙厚の種類に応じて両面出力の可否を判断して、その判断に基づいた画像出力処理を行うことで、適正に画像出力処理を行うことができる画像出力システム、制御装置、画像出力装置、画像出力方法、その方法を実行させるためのプログラム、及び、そのプログラムを記憶した記憶媒体を提供することにある。
【課題を解決するための手段】
【００１０】
上記課題を解決するために、請求項１記載の発明は、画像データを出力指示情報と共に送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムであって、前記制御装置は、前記画像出力装置から前記複数の給紙カセットの各々に収納される記録用紙の種類を取得する用紙情報取得手段と、前記取得された複数の給紙カセットの各々に収納される記録用紙の種類の中から前記画像を出力する記録用紙の種類を選択するための用紙選択手段と、前記画像を出力する出力面として前記記録用紙の両面と片面の何れか一方を指定するための出力面指定手段と、前記選択された記録用紙の種類と前記指定された出力面の識別情報を前記出力指示情報として前記画像データと共に前記画像出力装置に送信する送信手段と、を備え、前記画像出力装置は、少なくとも前記複数の給紙カセットの各々に収納される記録用紙の種類と前記画像を当該記録用紙の両面に出力することの可否を対応付けた出力可否情報を予め記憶する出力可否情報記憶手段と、前記送信された出力面の識別情報が前記記録用紙の両面を指定する情報であった場合に、前記送信された記録用紙の種類を基に前記記憶された出力可否情報を参照することで、前記画像を前記送信された種類の記録用紙の両面に出力することの可否を判断する出力可否判断手段と、前記判断において前記画像を前記送信された種類の記録用紙の両面に出力することが不可と判断された場合に、前記画像を前記送信された種類の記録用紙の両面に出力する出力処理に替わり、その代替となる出力処理を行う出力制御手段と、を備えたことを特徴とする。
【００１１】
上記課題を解決するために、請求項３記載の発明は、画像データを出力指示情報と共に送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムであって、前記制御装置は、少なくとも前記複数の給紙カセットの各々に収納される記録用紙の種類と前記画像を当該記録用紙の両面に出力することの可否を対応付けた出力可否情報を予め記憶する出力可否情報記憶手段と、前記画像出力装置から前記複数の給紙カセットの各々に収納される記録用紙の種類を取得する用紙情報取得手段と、前記取得された複数の給紙カセットの各々に収納される記録用紙の種類の中から前記画像を出力する記録用紙の種類を選択するための用紙選択手段と、前記画像を出力する出力面として前記記録用紙の両面と片面の何れか一方を指定するための出力面指定手段と、前記指定された出力面が前記記録用紙の両面であった場合に、前記選択された記録用紙の種類を基に前記記憶された出力可否情報を参照することで、前記画像を前記選択された種類の記録用紙の両面に出力することの可否を判断する出力可否判断手段と、前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御手段と、を備えたことを特徴とする。
【００１２】
上記課題を解決するために、請求項８記載の発明は、出力指示情報に従って複数の給紙カセットの中から該当する給紙カセットを選択して、当該選択された給紙カセットから給紙される記録用紙の両面又は片面に画像データに基づく画像を出力する画像出力装置に対して、前記画像データを前記出力指示情報と共に送信する制御装置であって、少なくとも前記複数の給紙カセットの各々に収納される記録用紙の種類と前記画像を当該記録用紙の両面に出力することの可否を対応付けた出力可否情報を予め記憶する出力可否情報記憶手段と、前記画像出力装置から前記複数の給紙カセットの各々に収納される記録用紙の種類を取得する用紙情報取得手段と、前記取得された複数の給紙カセットの各々に収納される記録用紙の種類の中から前記画像を出力する記録用紙の種類を選択するための用紙選択手段と、前記画像を出力する出力面として前記記録用紙の両面と片面の何れか一方を指定するための出力面指定手段と、前記指定された出力面が前記記録用紙の両面であった場合に、前記選択された記録用紙の種類を基に前記記憶された出力可否情報を参照することで、前記画像を前記選択された種類の記録用紙の両面に出力することの可否を判断する出力可否判断手段と、前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御手段と、を備えたことを特徴とする。
【００１３】
上記課題を解決するために、請求項１３記載の発明は、外部装置から、画像データと共に、当該画像データに基づく画像を出力する記録用紙の種類とその出力面として当該記録用紙の両面と片面の何れか一方を指定する識別情報を出力指示情報として受信して、前記出力指示情報に従って複数の給紙カセットの中から該当する給紙カセットを選択して、当該選択された給紙カセットから給紙される記録用紙の両面又は片面に前記画像データに基づく画像を出力する画像出力装置であって、少なくとも前記複数の給紙カセットの各々に収納される記録用紙の種類と前記画像を当該記録用紙の両面に出力することの可否を対応付けた出力可否情報を予め記憶する出力可否情報記憶手段と、前記受信した出力面の識別情報が前記記録用紙の両面を指定する情報であった場合に、前記受信した記録用紙の種類を基に前記記憶された出力可否情報を参照することで、前記画像を前記受信した種類の記録用紙の両面に出力することの可否を判断する出力可否判断手段と、前記判断において前記画像を前記受信した種類の記録用紙の両面に出力することが不可と判断された場合に、前記画像を前記受信した種類の記録用紙の両面に出力する出力処理に替わり、その代替となる出力処理を行う出力制御手段と、を備えたことを特徴とする。
【００１４】
上記課題を解決するために、請求項１８記載の発明は、画像データを出力指示情報と共に送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムにおける画像出力方法であって、前記制御装置において、前記画像出力装置から前記複数の給紙カセットの各々に収納される記録用紙の種類を取得する用紙情報取得ステップと、前記取得された複数の給紙カセットの各々に収納される記録用紙の種類の中から前記画像を出力する記録用紙の種類が選択される用紙選択ステップと、前記画像を出力する出力面として前記記録用紙の両面と片面の何れか一方が指定される出力面指定ステップと、前記選択された記録用紙の種類と前記指定された出力面の識別情報を前記出力指示情報として前記画像データと共に前記画像出力装置に送信する送信ステップと、前記画像出力装置において、少なくとも前記複数の給紙カセットの各々に収納される記録用紙の種類と前記画像を当該記録用紙の両面に出力することの可否を対応付けた出力可否情報を予め記憶する出力可否情報記憶ステップと、前記送信された出力面の識別情報が前記記録用紙の両面を指定する情報であった場合に、前記送信された記録用紙の種類を基に前記記憶された出力可否情報を参照することで、前記画像を前記送信された種類の記録用紙の両面に出力することの可否を判断する出力可否判断ステップと、前記判断において前記画像を前記送信された種類の記録用紙の両面に出力することが不可と判断された場合に、前記画像を前記送信された種類の記録用紙の両面に出力する出力処理に替わり、その代替となる出力処理を行う出力制御ステップと、を含むことを特徴とする。
【００１５】
上記課題を解決するために、請求項２０記載の発明は、画像データと共に出力指示情報を送信する制御装置と、前記送信された出力指示情報を受けて、当該出力指示情報に従って複数の給紙カセットの中から該当する給紙カセットを選択して、当該選択された給紙カセットから給紙される記録用紙の両面又は片面に前記送信された画像データに基づく画像を出力する画像出力装置と、を含む画像出力システムにおける画像出力方法であって、前記制御装置において、少なくとも前記複数の給紙カセットの各々に収納される記録用紙の種類と前記画像を当該記録用紙の両面に出力することの可否を対応付けた出力可否情報を予め記憶する出力可否情報記憶ステップと、前記画像出力装置から前記複数の給紙カセットの各々に収納される記録用紙の種類を取得する用紙情報取得ステップと、前記取得された複数の給紙カセットの各々に収納される記録用紙の種類の中から前記画像を出力する記録用紙の種類が選択される用紙選択ステップと、前記画像を出力する出力面として前記記録用紙の両面と片面の何れか一方が指定される出力面指定ステップと、前記指定された出力面が前記記録用紙の両面であった場合に、前記選択された記録用紙の種類を基に前記記憶された出力可否情報を参照することで、前記画像を前記選択された種類の記録用紙の両面に出力することの可否を判断する出力可否判断ステップと、前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御ステップと、を含むことを特徴とする。
【００１６】
上記課題を解決するために、請求項２５記載の発明は、出力指示情報に従って複数の給紙カセットの中から該当する給紙カセットを選択して、当該選択された給紙カセットから給紙される記録用紙の両面又は片面に画像データに基づく画像を出力する画像出力装置に対して、前記画像データを前記出力指示情報と共に送信する制御装置のコンピュータにおいて実行されるプログラムであって、少なくとも前記複数の給紙カセットの各々に収納される記録用紙の種類と前記画像を当該記録用紙の両面に出力することの可否を対応付けた出力可否情報を予め記憶する出力可否情報記憶処理ステップと、前記画像出力装置から前記複数の給紙カセットの各々に収納される記録用紙の種類を取得する用紙情報取得処理ステップと、前記取得された複数の給紙カセットの各々に収納される記録用紙の種類の中から前記画像を出力する記録用紙の種類を選択可能な用紙選択画面を表示する用紙選択画面表示処理ステップと、前記画像を出力する出力面として前記記録用紙の両面と片面の何れか一方を指定可能な出力面指定画面を表示する出力面指定画面表示処理ステップと、前記出力面指定画面において指定された出力面が前記記録用紙の両面であった場合に、前記用紙選択画面において選択された記録用紙の種類を基に前記記憶された出力可否情報を参照することで、前記画像を前記選択された種類の記録用紙の両面に出力することの可否を判断する出力可否判断処理ステップと、前記判断において前記画像を前記選択された種類の記録用紙の両面に出力することが不可と判断された場合に、前記画像を前記選択された種類の記録用紙の両面に出力する出力処理に替わり、その代替となる出力処理を行う出力制御処理ステップと、を含むことを特徴とする。
【００１７】
上記課題を解決するために、請求項３０記載の発明は、外部装置から、画像データと共に、当該画像データに基づく画像を出力する記録用紙の種類とその出力面として当該記録用紙の両面と片面の何れか一方を指定する識別情報を出力指示情報として受信して、前記出力指示情報に従って複数の給紙カセットの中から該当する給紙カセットを選択して、当該選択された給紙カセットから給紙される記録用紙の両面又は片面に前記画像データに基づく画像を出力する画像出力装置のコンピュータにおいて実行されるプログラムであって、少なくとも前記複数の給紙カセットの各々に収納される記録用紙の種類と前記画像を当該記録用紙の両面に出力することの可否を対応付けた出力可否情報を予め記憶する出力可否情報記憶処理ステップと、前記受信した出力面の識別情報が前記記録用紙の両面を指定する情報であった場合に、前記受信した記録用紙の種類を基に前記記憶された出力可否情報を参照することで、前記画像を前記受信した種類の記録用紙の両面に出力することの可否を判断する出力可否判断処理ステップと、前記判断において前記画像を前記受信した種類の記録用紙の両面に出力することが不可と判断された場合に、前記画像を前記受信した種類の記録用紙の両面に出力する出力処理に替わり、その代替となる出力処理を行う出力制御処理ステップと、を含むことを特徴とする。
【００１８】
上記課題を解決するために、請求項３５記載の発明は、請求項２５乃至請求項２９の何れか一項に記載のプログラムを前記制御装置のコンピュータにより読み出し可能に記憶したことを特徴とする。
【００１９】
上記課題を解決するために、請求項３６記載の発明は、請求項３０乃至請求項３４の何れか一項に記載のプログラムを前記画像出力装置のコンピュータにより読み出し可能に記憶したことを特徴とする。
【発明の効果】
【００２０】
本発明に係る画像出力システム、制御装置、画像出力装置、画像出力方法、その方法を実行させるためのプログラム、及び、そのプログラムを記憶した記憶媒体によれば、記録用紙の両面に対して画像出力を行う場合に、その記録用紙の紙質や紙厚の種類に応じて両面出力の可否が判断されて、その判断に基づいた画像出力処理が行われるので、適正に画像出力処理を行うことができる。従って、記録用紙の両面に対して画像出力を行う場合であっても、適正なカラープルーフを作成することができる。
【発明を実施するための最良の形態】
【００２１】
以下、本発明に係る画像出力システム、制御装置、画像出力装置、画像出力方法、その方法を実行させるためのプログラム、及び、そのプログラムの好適な実施形態について、図面を参照しながら具体的に説明する。
【００２２】
［画像出力システム］
まず、本実施形態における画像出力システムのシステム構成及び概略動作について、印刷製版工程の流れを踏みつつ、図１を参照して、図２に示すフローチャートの流れに沿って説明する。
【００２３】
＜システム構成＞
図１に示すように、当該画像出力システムは、画像データの画像編集、例えば面付け作業を行うための、少なくとも１台のクライアント端末１と、このクライアント端末１からネットワークを介して送信された、例えばＰｏｓｔＳｃｒｉｐｔで記述されたカンプ用画像データ（ページ面付けする前の単ページの画像データ）や、後述するＣＴＰ用ＲＩＰ４から送信されたＲＩＰ処理（例えばＰｏｓｔＳｃｒｉｐｔ等で記述された画像データをラスター画像データ（カラーレーザープリンタ３の出力解像度にあわせたビットマップデータ）に変換する処理）の施された印刷用画像データ（カンプ用画像データを複数面付けした画像データ）を解析して、当該画像データがＲＩＰ処理を施されていない場合に、これにＲＩＰ処理を施し、当該ラスター画像データと共に出力指示信号、具体的には、当該ラスター画像データの出力指示や当該ラスター画像データに基づく画像を出力する記録用紙の紙質及び紙厚の種類、さらに、その出力面を指示する指示信号等を、後述する画像出力装置であるカラーレーザープリンタ３に送信する制御装置２と、この制御装置２から送信されたカンプ用画像データに基づく画像や、後述するＣＴＰ用ＲＩＰ４から送信された印刷用画像データに基づく画像を出力指示信号に従って該当する紙質及び紙厚の記録用紙の該当する出力面に出力するカラーレーザープリンタ３と、クライアント端末１から送信された、例えばＰｏｓｔＳｃｒｉｐｔで記述された印刷用画像データにＲＩＰ処理（ＣＴＰ６やＤＣＰ作成装置７の出力解像度にあわせてビットマップデータに変換する処理）を施した後、これを制御装置２やＣＴＰ６、高精度なＤＣＰ（Ｄｉｇｉｔａｌ  Ｃｏｌｏｒ  Ｐｒｏｏｆ）が必要な場合には、ＤＣＰ制御装置５に送信するＣＴＰ用ＲＩＰ４と、このＣＴＰ用ＲＩＰ４からＤＣＰ制御装置５を介して送信された印刷用画像データに基づく画像をＤＣＰとして出力するＤＣＰ作成装置７と、このＣＴＰ用ＲＩＰ４から送信された印刷用画像データに基づく画像を出力するＣＴＰ６とから構成されている。
【００２４】
尚、クライアント端末１、制御装置２、ＣＴＰ用ＲＩＰ４及びＤＣＰ制御装置５は、各々、コンピュータ端末として動作するものであって、コンピュータ本体、マウスやキーボード等の操作手段、モニタ等の表示手段等を備え、所定の動作プログラムが組み込まれている。さらに、クライアント端末１は、画像編集を行うための編集プログラム、イメージスキャナ等の必要な画像入力機器を備えている。
【００２５】
また、カラーレーザープリンタ３は、電子写真方式の複写手段や、イメージスキャナ等のスキャン手段を備えるマルチファンクションプリンタであって、互いに異なる紙質及び紙厚の記録用紙を収納する複数の給紙カセットと、作業者によって入力された、この給紙カセットの各々に収納される記録用紙の紙質及び紙厚の種類を記憶する記憶手段（以下、用紙情報記憶部と称する）等を備え、上述したように、制御装置２から送信された出力指示信号に従って、該当する紙質及び紙厚の記録用紙を、上述の記憶手段に記憶される情報に基づいて、これを収納する給紙カセットから給紙して、その記録用紙の該当する出力面にカンプ用画像データに基づく画像や印刷用画像データに基づく画像を出力する。
【００２６】
＜概略動作＞
図２に示すように、このような構成において、クライアント端末１にて画像編集された画像データは、制御装置２へ送信され、これを受けた制御装置２は、当該画像データを解析して、当該画像データにＲＩＰ処理が施されていない場合には、これにＲＩＰ処理を施し（ラスター画像データに変換し）、当該ラスター画像データと共に出力指示信号をカラーレーザープリンタ３へ送信し、これを受けたカラーレーザープリンタ３は、出力指示信号に従って、該当する紙質及び紙厚の記録用紙の該当する出力面に画像を出力することでカラーカンプを作成する（Ｓ０１）。尚、此処に言う“カラーカンプ”とは、色付きの仕上がり見本のことであり、ページ面付けされる写真やイラストのダミーとして的な印刷物に近い仕上がりイメージを見せることにより、デザインが企画・編集意図に沿ったものであるかどうかの検討や、クライアントの承諾を得るためなどに作成されるものである。即ち、この際には、単ページの小サイズ出力が行われ、印刷発注主やデザイナーによって文字校正や色校正等の作業結果確認が行われる（Ｓ０２）。
【００２７】
ここで、印刷発注主やデザイナーにより問題がないことが確認された場合には（Ｓ０２、Ｙｅｓ）、クライアントである印刷会社の作業者によりクライアント端末１において面付け作業が行われる（Ｓ０３）。尚、此処に言う“面付け作業”とは、製版フィルムを的に印刷して折り丁にしたときにノンブル（そのページが何ページ目かがわかるように、ページの端に入れておく番号のこと）が順に並ぶように、写真やイラスト等の画像を１６ページ単位、或いは８ページ単位や４ページ単位で、印刷機にかける用紙のサイズに合わせて貼り合わせる作業のことである。
【００２８】
そして、印刷会社の作業者によりクライアント端末１からＣＴＰ用ＲＩＰ４へ面付け作業が行われた印刷用の画像データが送信されると、これを受けたＣＴＰ用ＲＩＰ４は、その印刷用の画像データに対してＲＩＰ処理を施す。具体的には、カラーレーザープリンタ３やＤＣＰ作成装置７、或いは、ＣＴＰ６の出力解像度にあわせてビットマップデータに変換することでラスター画像データを作成する（Ｓ０４）。ここで、ＤＣＰをカラーレーザープリンタ３にて作成する場合には、このラスター画像データは、ＣＴＰ用ＲＩＰ４から制御装置２へ送信され、これを受けた制御装置２は、当該ラスター画像データを出力指示信号と共にカラーレーザープリンタ３へ送信し、これを受けたカラーレーザープリンタ３は、出力指示信号に従って、該当する紙質及び紙厚の記録用紙の該当する出力面に、その画像データに基づく画像を出力する（Ｓ０５）。ここで、高精度のＤＣＰが必要になる場合には、ＣＴＰ用ＲＩＰ４は、ラスター画像データをＤＣＰ制御装置５へ送信して、これを受けたＤＣＰ制御装置５は、ＤＣＰ作成装置７の出力制御を行い、ＤＣＰ作成装置７がその印刷用の画像データに基づく画像を出力する（Ｓ０５）。尚、カラーレーザープリンタ３において印刷用の画像データに基づく画像が出力される記録用紙は、適正に校正を行うべく、印刷機により印刷される用紙と同様、若しくは、似通った種類のものが使用されることが好ましい。
【００２９】
そして、印刷用の画像データに基づく画像が出力された記録用紙、即ち、ＤＣＰの色校正が印刷発注主やデザイナーにより行われる。そして、問題がないことが確認された場合には（Ｓ０６、Ｙｅｓ）、印刷発注主やデザイナーは、ＣＴＰ用ＲＩＰ４からラスター画像データである印刷用画像データ（ＤＣＰを作成する際に用いた画像データから上述した校正管理情報を含む画像データを除いたもの）をＣＴＰ６に送信して、これを受けたＣＴＰ６は、印刷版に直接画像記録を行う（Ｓ０７）。さらに、印刷会社の作業者は、その印刷版により印刷を行い、その印刷物である面付けされた画像の色校正が行われ、ここで、問題がないことが確認された場合には（Ｓ０８、Ｙｅｓ）、印刷機により印刷物を印刷する工程に移行する（Ｓ０９）。
【００３０】
［制御装置］
次に、当該画像出力システムを構成する制御装置２の詳細構成及び詳細動作について、図３、図５及び図７を参照しつつ、図４及び図６に示すフローチャートの流れに沿って説明する。尚、以下においては、制御装置２において、ＣＴＰ用ＲＩＰ４から送信されたＲＩＰ処理が施された印刷用の画像データを受けて、その印刷用画像データを画像カラーレーザープリンタ３によって出力する場合、即ち、カラーレーザープリンタ３によってＤＣＰを作成する場合を例に採り説明する。
【００３１】
＜詳細構成＞
図３に示すように、制御装置２は、ＣＴＰ用ＲＩＰ４から受信した印刷用の画像データを保存する画像データ保存部２０と、この画像データ保存部２０に保存された印刷用の画像データを解析して、当該画像データにＲＩＰ処理を施されていない場合に、これにＲＩＰ処理を施す画像データ解析加工部２１と、カラーレーザープリンタ３の用紙情報記憶部から当該装置３の各給紙カセットに収納される記録用紙の紙質及び紙厚の種類を取得する用紙情報取得部２２と、この用紙情報取得部２２が取得したカラーレーザープリンタ３の各給紙カセットに収納される記録用紙の紙質及び紙厚の種類を表示すると共に、その中から画像データ保存部２０に保存された印刷用の画像データを出力する記録用紙を選択するための選択画面や、その出力面として両面と両面の何れかを指定するための指定画面を表示する表示部２３と、この表示部２３に表示される選択画面や指定画面において、画像データ保存部２０に保存された印刷用の画像データを出力する記録用紙を選択し、また、その出力面を指定するための操作手段である用紙／出力面選択部２４と、この用紙／出力面選択部２４によって指定された出力面が両面である場合に、同じくこの用紙／出力面選択部２４によって選択された記録用紙の紙質及び紙厚の種類に応じて、その記録用紙の両面に画像出力を行うことが可能か否かを判断する出力可否判断部２５と、この出力可否判断部２５による判断において、その記録用紙の両面に画像出力を行うことが不可能であると判断された場合に、用紙／出力面選択部２４によって指定された出力面の指定、即ち、両面出力の指定を無効とし、画像データ解析加工部２１から出力されたラスター画像データに対して色調整やスクリーン処理（写真やイラストなどのように階調のある原稿を、印刷用の原稿に加工するために細かい点の集まり（網、網点、ハーフトーンドット等）に置き換える処理のこと）を施した後、予め設定された設定内容に従って、当該ラスター画像データをその記録用紙の２枚の片面に分割して出力する処理を行う、又は、当該画像データをその記録用紙に出力することを中止する処理を行う、又は、当該画像データを強制的にその記録用紙の両面に出力する処理を行う出力制御部２６と、カラーレーザープリンタ３の各給紙カセットに収納される全ての記録用紙の紙質及び紙厚の種類に応じて、その記録用紙に両面出力を行うことが可能か否かを出力可否判断部２５の不図示の記憶部に対して設定するための操作手段である出力可否設定部２７と、を備えている。
【００３２】
尚、出力可否判断部２５は、自身の記憶部に対して設定された設定内容に従って、用紙／出力面選択部２４によって選択された記録用紙の両面に画像出力を行うことが可能か否かを判断する。言い換えれば、その記録用紙の両面に画像出力を行った場合に裏映りが生じるか否かを判断する。
【００３３】
また、出力制御部２６は、画像データ解析加工部２１から出力されたラスター画像データを用紙／出力面選択部２４によって選択された記録用紙の２枚の片面に分割して出力する処理を行う場合には、そのラスター画像データを、その出力面として片面を指示する指示信号とその記録用紙のサイズ及び種類を指定する指定信号を含む出力指示信号と共にカラーレーザープリンタ３に対して記録用紙毎に分割して送信する。一方、画像データ解析加工部２１から出力されたラスター画像データを強制的に用紙／出力面選択部２４によって選択された記録用紙の両面に出力する処理を行う場合には、そのラスター画像データを、その出力面として両面を指示する指示信号とその記録用紙のサイズ及び種類を指定する指定信号を含む出力指示信号と共にカラーレーザープリンタ３へ送信する。
【００３４】
因みに、用紙／出力面選択部２４によって指定された出力面が片面である場合には、同じくこの用紙／出力面選択部２４によって選択された記録用紙の紙質及び紙厚の種類に関らず、通常通りの画像出力処理が行われることになる。
【００３５】
＜詳細動作＞
図４に示すように、このような構成において、作業者は、まず事前準備として、制御装置２において、カラーレーザープリンタ３の各給紙カセットに収納される全ての記録用紙の紙質及び紙厚の種類に応じて、その記録用紙に両面出力を行うことが可能か否かを設定する。具体的には、この際、表示部２３が、例えば図５に示すような出力可否設定画面１０Ａを表示し、作業者は、出力可否設定部２７の操作によって、その各々に対して両面出力の可否を設定する。その設定内容は、出力可否判断部２５の不図示の記憶部に記憶される（出力可否情報記憶処理ステップ）。
【００３６】
図６に示すように、そして、制御装置２にＣＴＰ用ＲＩＰ４から印刷用のラスター画像データが送信されると、画像データ保存部２０は、これを受けて、その送信された画像データを保存する（Ｓ２０）。これを受けて、画像データ解析加工部２１は、その保存された画像データを解析して、当該画像データにＲＩＰ処理を施されていない場合に、これにＲＩＰ処理を施す（Ｓ２１）。但し、ＣＴＰ用ＲＩＰ４から送信される画像データは、全てＲＩＰ処理が施されたラスター画像データとなっているため、本例においては、画像データ解析加工部２１がＲＩＰ処理を施す場合はない。
【００３７】
これを受けて、用紙情報取得部２２は、カラーレーザープリンタ３の用紙情報記憶部から当該装置３の各給紙カセットに収納される記録用紙の紙質及び紙厚の種類を取得して（用紙情報取得処理ステップ；Ｓ２２）、表示部２３は、その取得された記録用紙の紙質及び紙厚の種類の中から印刷用の画像データを出力する記録用紙を選択し、その出力面として両面と両面の何れかを指定するための、例えば図７に示すような用紙選択／出力面指定画面２０Ａを表示する（用紙選択画面表示処理ステップ、出力面指定画面表示処理ステップ；Ｓ２３）。尚、図７に示す用紙選択／出力面指定画面２０Ａにおいては、用紙種類欄２０Ａａにおいてカラーレーザープリンタ３の各給紙カセットに収納される記録用紙の紙質及び紙厚の種類が表示されている。
【００３８】
ここで、作業者は、用紙／出力面選択部２４の操作によって、この用紙選択／出力面指定画面２０Ａの出力用紙欄２０Ａｂにおいて、印刷用画像データを出力する記録用紙として、例えば“上質紙  ５８ｇ／ｍ２”をチェックし選択する。そして、出力面欄２０Ａｃにおいて、その出力として、例えば“両面”を指定する。これにより、出力可否判断部２５は、印刷用画像データを出力する記録用紙の紙質及び紙厚の種類とその出力面を取得する（Ｓ２４）。
【００３９】
ここで、出力可否判断部２５は、用紙／出力面選択部２４の操作によって指定された出力面が両面であった場合には、自身の記憶部に記憶された設定内容、即ち、図５に示す出力可否設定画面１０Ａにおいて設定された設定内容を参照することで、取得した記録用紙の紙質及び紙厚の種類にて、両面出力を行うことが可能か否かを判断する（出力可否判断処理ステップ；Ｓ２５）。
【００４０】
一方、出力制御部２６は、画像データ解析加工部２１から出力されたラスター画像データに対して、色調整やスクリーン処理を施すと共に、この出力可否判断部２５による判断において、両面出力を行うことが不可能であると判断された場合には（Ｓ２５、Ｎｏ）、用紙／出力面選択部２４によって指定された出力面の指定、即ち、両面出力の指定を無効とし、作業者によって予め設定された設定内容に従って、例えば、画像データ解析加工部２１から出力されたラスター画像データを用紙／出力面選択部２４によって選択された記録用紙の２枚の片面に分割して出力する処理を行う。具体的には、画像データ解析加工部２１から出力されたラスター画像データを、その片面出力を指示する指示信号とその出力する記録用紙のサイズ及び種類を指定する指定信号を含む出力指示信号と共にカラーレーザープリンタ３に対して記録用紙毎に分割して送信する（出力制御処理ステップ；Ｓ２６）。
【００４１】
尚、出力制御部２６は、出力可否判断部２５による判断において、両面出力を行うことが可能であると判断された場合には（Ｓ２５、Ｙｅｓ）、通常通りの両面出力処理、具体的には、画像データ解析加工部２１から出力されたラスター画像データを、その両面出力を指示する指示信号とその出力する記録用紙のサイズ及び種類を指定する指定信号を含む出力指示信号と共にカラーレーザープリンタ３へ送信する（Ｓ２７）。
【００４２】
Ｓ２６から続く説明に戻って、これを受けたカラーレーザープリンタ３は、送信された出力指示信号に従って、指定された紙質及び紙厚の記録用紙を収納する給紙カセットを選択した上で、当該選択された給紙カセットより給紙する記録用紙の片面に、送信されたラスター画像データに基づく画像を記録用紙毎に分割して出力する。これにより片面出力が成され、表裏に分割された２枚のカラープルーフが作成される。
【００４３】
以上に説明したように、本実施形態における画像出力システム、制御装置、画像出力方法によれば、記録用紙の両面に対して画像出力を行う場合に、制御装置２の出力可否判断部２５によって、画像データを出力する記録用紙の紙質や紙厚の種類に応じて両面出力の可否が判断されて、出力制御部２６が、その判断に基づいて適正な画像出力処理を行うので、出力された記録用紙に裏映りが生じて、これを無駄にしてしまうといったこともなく、適正なカラープルーフを作成することができる。
【００４４】
［プログラム及びこれを記憶する記憶媒体］
尚、以上に説明した当該画像出力システムを構成する制御装置２において行われる処理、具体的には、図４及び図６に示すフローチャートを参照しつつ説明した“出力可否情報記憶処理ステップ”から“出力制御処理ステップ”までの処理を当該装置２のコンピュータ本体において実行させるためのプログラムは、当該装置２に内蔵、若しくは、接続される記憶媒体に記憶されており、同じく当該装置２に内蔵される演算部により、これが読み出されて実行されるものとする。
【００４５】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００４６】
尚、以上に説明した本実施形態における画像出力システム、制御装置、画像出力方法、その方法を実行させるためのプログラム、及び、そのプログラムを記憶した記憶媒体は、本発明の好適な一実施形態を例示したものであり、その他の実施形態を除外するものではない。
【００４７】
例えば、本実施形態においては、作業者は、制御装置２の用紙／出力面選択部２４によって、画像データを出力する記録用紙の紙質及び紙厚を選択することとしたが、この他にも、例えば作業者は、それらの何れかのみを選択することにしても良い。このような場合には、作業者は、出力可否設定部２７によって、カラーレーザープリンタ３の給紙カセットに収納される全ての記録用紙の紙質又は紙厚に応じた両面出力の可否を設定することになると共に、出力可否判断部２５においては、この記録用紙の紙質又は紙厚に応じた両面出力の可否を参照することで、選択された記録用紙の紙質又は紙厚にて両面出力を行うことが可能か否かを判断することになる。
【００４８】
また、本実施形態においては、作業者は、制御装置２の用紙／出力面選択部２４によって、画像データを出力する記録用紙の種類、具体的には、紙質及び紙厚を選択することとしたが、この他にも、例えば作業者は、画像データを出力する記録用紙の種類として、そのサイズ又はその記録用紙を収納する給紙カセットを選択することにしても良い。このような場合には、例えば制御装置２において、予め不図示の用紙情報記憶部にカラーレーザープリンタ３の各給紙カセットに収納される記録用紙のサイズと紙質及び／又は紙厚の種類を記憶しておき、作業者によって指定された出力面が両面であった場合に、出力可否判断部２５が、これを参照することで、作業者によって選択された記録用紙のサイズに対応する記録用紙又は作業者によって選択された給紙カセットに収納される記録用紙にて両面出力を行うことが可能か否かを判断して、その判断が両面出力を行うことが不可能であるというものであった場合には、出力制御部２６が、その両面出力の指定を無効とし、上述した代替処理を行うことになる。
【００４９】
また、本実施形態においては、作業者が、制御装置２の出力可否設定部２７によってカラーレーザープリンタ３の給紙カセットに収納される全ての記録用紙の紙質又は紙厚に応じた両面出力の可否を設定して、出力可否判断部２５が、これを参照することで、用紙／出力面選択部２４によって選択された記録用紙の紙質及び紙厚にて両面出力を行うことが可能か否かを判断して、その判断が両面出力を行うことが不可能であるというものであった場合に、出力制御部２６が、その両面出力の指定を無効とし、上述した代替処理を行うこととしたが、この他にも、例えば制御装置２の出力可否判断部２５、出力制御部２６及び出力可否設定部２７に相当する部分がカラーレーザープリンタ３に備えられた構成としても良い。具体的には、作業者が、予めカラーレーザープリンタ３に備えられた不図示の出力可否設定部によって当該装置３の給紙カセットに収納される全ての記録用紙の紙質又は紙厚に応じた両面出力の可否を設定しておき、制御装置２においては、出力制御部２６が用紙／出力面選択部２４によって選択された記録用紙の紙質及び／又は紙厚を指定する指示信号とその出力面を指示する指示信号を含む出力指示信号をカラーレーザープリンタ３へ送信することとし、カラーレーザープリンタ３においては、不図示の出力可否判断部が、上述した（予め設定された）当該装置３の給紙カセットに収納される全ての記録用紙の紙質又は紙厚に応じた両面出力の可否を参照することで、送信された記録用紙の紙質及び／又は紙厚にて両面出力を行うことが可能か否かを判断して、その判断が両面出力を行うことが不可能であるというものであった場合には、不図示の出力制御部が、その両面出力の指定を無効とし、上述した代替処理を行うことにしても良い。
【００５０】
尚、本例の場合には、カラーレーザープリンタ３において、画像データの両面出力処理を行うことになるが、上述した両面出力処理をカラーレーザープリンタ３のコンピュータ本体において実行させるためのプログラムは、当該装置３に内蔵、若しくは、接続される記憶媒体に記憶されており、同じく当該装置３に内蔵される演算部により、これが読み出されて実行されるものとする。
【図面の簡単な説明】
【００５１】
【図１】本発明に係る画像出力システムの一実施形態における全体構成を表す構成図である。
【図２】図１に示す画像出力システムにおいて行われる印刷製版業務の一連の流れを表すフローチャートである。
【図３】図１に示す制御装置の詳細構成を表す機能ブロック図である。
【図４】図３に示す制御装置の出力可否設定部によって記録用紙の紙質及び紙厚の種類に応じた両面出力の可否が設定される流れを表すフローチャートである。
【図５】図３に示す制御装置の表示部において表示される、記録用紙の紙質及び紙厚の種類に応じた両面出力の可否を設定するための設定画面の構成を表す構成図である。
【図６】図３に示す制御装置において行われる画像データの両面出力処理の一連の流れを表すフローチャートである。
【図７】図３に示す制御装置の表示部において表示される、印刷用の画像データを出力する記録用紙を選択し、その出力面を指定するための選択／指定画面の全体構成を表す構成図である。
【符号の説明】
【００５２】
１  クライアント端末
２  制御装置
２０  画像データ保存部
２１  画像データ解析加工部
２２  用紙情報取得部
２３  表示部
２４  用紙／出力面選択部
２５  出力可否判断部
２６  出力制御部
２７  出力可否設定部
３  カラーレーザープリンタ
４  ＣＴＰ用ＲＩＰ
５  ＤＣＰ制御装置
６  ＣＴＰ
７  ＤＣＰ作成装置
１０Ａ  出力可否設定画面
２０Ａ  用紙選択／出力面指定画面
２０Ａａ  用紙種類欄
２０Ａｂ  出力用紙欄
２０Ａｃ  出力面欄
【図１】
2005131956.tif 000003
【図２】
2005131956.tif 000004
【図３】
2005131956.tif 000005
【図４】
2005131956.tif 000006
【図５】
2005131956.tif 000007
【図６】
2005131956.tif 000008
【図７】
2005131956.tif 000009